(57)【特許請求の範囲】
【請求項１】
可動に支持された家具部分（３）を移動させるためのアクチュエータ（４）であって、
前記可動の家具部分（３）を移動させるための、閉鎖位置と開放位置との間で可動に支持された少なくとも１つの作動アーム（６）と、
前記閉鎖位置の直前に配置された閉鎖領域（３１）内で前記作動アーム（６）を前記閉鎖位置に引き込むことができるばね装置（１１）と、
を有するアクチュエータ（４）において、
当該アクチュエータ（４）は連結装置（１０）を有しており、前記ばね装置（１１）が、前記作動アーム（６）の開放時に、前記閉鎖領域（３１）において前記作動アーム（６）に閉鎖保持力を与えないように、前記連結装置（１０）は、前記作動アーム（６）の開放時に、前記ばね装置（１１）を前記閉鎖領域（３１）において前記作動アーム（６）から連結解除し、かつ前記ばね装置（１１）が、前記作動アーム（６）の閉鎖時に、前記閉鎖領域（３１）において前記作動アーム（６）に閉鎖力を与えるように、前記連結装置（１０）は、前記作動アーム（６）の閉鎖時に、前記ばね装置（１１）を前記閉鎖領域（３１）において前記作動アーム（６）と連結する
ことを特徴とする、アクチュエータ。
【請求項２】
開放時における前記連結解除が行われる、前記作動アーム（６）の旋回角度（α２，α３）が、閉鎖時における前記連結が行われる、前記作動アーム（６）の旋回角度（α１）よりも小さい、請求項１記載のアクチュエータ。
【請求項３】
開放時における前記作動アーム（６）の前記連結解除が、前記閉鎖領域（３１）内で行われ、前記作動アーム（６）の前記連結が、閉鎖方向で見て、前記閉鎖領域（３１）の始めに行われる、請求項１または２記載のアクチュエータ。
【請求項４】
前記連結装置（１０）は、少なくとも１つの可動に支持されたロックエレメント（１４）を有しており、該ロックエレメント（１４）は、ロック位置とロック解除位置との間で可動に支持されており、前記ロックエレメント（１４）は、前記ロック位置において前記ばね装置（１１）を前記作動アーム（６）と連結させ、前記ロックエレメント（１４）は、前記可動の家具部分（３）の前記閉鎖位置を起点とする該可動の家具部分（３）の超過押圧によって、前記閉鎖位置の後ろに位置している超過押圧位置（２４）において前記ロック解除位置に可動であり、これによって前記作動アーム（６）は、前記ばね装置（１１）の力から連結解除可能である、請求項１から３までのいずれか１項記載のアクチュエータ。
【請求項５】
蓄力器（１５）が設けられており、該蓄力器（１５）によって、前記ロックエレメント（１４）は、前記ロック位置では予め設定された力で保持されている、請求項４記載のアクチュエータ。
【請求項６】
前記連結装置（１０）は、第１のレバー端部（１２ａ）および第２のレバー端部（１２ｂ）を備えた連結レバー（１２）を有しており、前記第１のレバー端部（１２ａ）は、前記ロック位置において前記ロックエレメント（１４）と共働し、かつ該ロックエレメント（１４）は、前記超過押圧位置（２４）への前記可動の家具部分（３）の超過押圧によって前記第２のレバー端部（１２ｂ）に加えられる運動によって、前記ロック解除位置に可動である、請求項４または５記載のアクチュエータ。
【請求項７】
前記連結レバー（１２）は、ヒンジ軸（１３）を中心にして旋回可能に支持されている、請求項６記載のアクチュエータ。
【請求項８】
前記連結レバー（１２）の前記第１のレバー端部（１２ａ）は、前記ロック位置において前記ロックエレメント（１４）と共働する係止凹部（２２）を有している、請求項６または７記載のアクチュエータ。
【請求項９】
前記連結レバー（１２）は、前記ヒンジ軸（１３）を介して旋回部分（１７）に結合されており、該旋回部分（１７）に、前記ばね装置（１１）に結合された引張りレバー（２７）を介して前記ヒンジ軸（１３）を中心にして予荷重が加えられている、請求項７または８記載のアクチュエータ。
【請求項１０】
前記ロックエレメント（１４）は、回転可能に支持されたローラとして形成されており、該ローラは、前記連結レバー（１２）に配置されたまたは形成された作動輪郭（２８）に沿って、前記ロック位置と前記ロック解除位置との間に、制限された範囲内で可動に支持されている、請求項６から９までのいずれか１項記載のアクチュエータ。
【請求項１１】
前記ばね装置（１１）は、少なくとも１つのコイルばね、好ましくは少なくとも１つの圧縮ばねを有している、請求項１から１０までのいずれか１項記載のアクチュエータ。
【請求項１２】
前記ばね装置（１１）は、前記作動アーム（６）の閉鎖時に閉鎖力を前記作動アーム（６）に加え、かつ前記作動アーム（６）の開放時に、前記閉鎖領域（３１）の通過後に、開放力を前記作動アーム（６）に加える、請求項１から１１までのいずれか１項記載のアクチュエータ。
【請求項１３】
前記可動に支持された家具部分（３）を、前記閉鎖位置を起点として前記開放位置に押し出すことができる、エジェクション装置（７）が設けられている、請求項１から１２までのいずれか１項記載のアクチュエータ。
【請求項１４】
前記エジェクション装置（７）は、超過押圧によって離脱可能である、可動に支持されたエジェクションエレメント（８）を有している、請求項１３記載のアクチュエータ。
【請求項１５】
家具本体（２）と、該家具本体（２）に対して相対的に可動に支持された家具部分（３）と、該可動に支持された家具部分（３）を移動させるための、請求項１から１４までのいずれか１項記載のアクチュエータ（４）と、を備えた家具（１）。
【発明の詳細な説明】
【技術分野】
【０００１】
本発明は、可動に支持された家具部分を移動させるためのアクチュエータであって、
可動の家具部分を移動させるための、閉鎖位置と開放位置との間で可動に支持された少なくとも１つの作動アームと、
閉鎖位置の直前に配置された閉鎖領域内で作動アームを閉鎖位置に引き込むことができるばね装置と、
を有するアクチュエータに関する。
【背景技術】
【０００２】
このような形式のアクチュエータのばね装置は、可動の家具部分の重量を補償すると共に、家具部分を閉鎖移動の終了近くで完全な閉鎖位置に引き込む働きもする。これによって、家具部分は閉鎖位置で閉鎖保持力をもって家具本体に接触し、完全に閉鎖されたままになり、かつ望ましくない開放が確実に阻止される。しかしながら、家具部分の開放時には、手によってばね装置の力に抗して家具部分に引張り運動を加えることが必要である。特に、家具部分が重い場合には、この閉鎖保持力をさらに高める、大きなばね力を有するばね装置を設けることが必要である。これによって、最終的に、手で大きな力を加えることによってしか家具部分を開放することができなくなる。このようなことは、特に、家具部分がフラップとして頭上キャビネットに取り付けられており、結果として人が接近しにくい場合に言えることである。
【０００３】
欧州特許出願公開第２２９０１８２号明細書には、上位概念部に記載した形式のアクチュエータが記載されており、閉鎖保持力を減じるために、蓄力器を備えた調整装置が設けられている。この蓄力器は、アクチュエータの閉鎖保持力に対して逆向きの力を与えるので、家具部分を開放するのに必要な力を全体として減じることができる。しかしながら、このような調整装置の配置形態は、追加的なばねを必要とするので、アクチュエータの所要スペースが大きくなり、かつ製造コストが高くなってしまう。
【０００４】
独国特許出願公開第２３０６５２０号明細書には、ヒンジアームおよびヒンジポットを備えた家具ヒンジが開示されている。ヒンジポット内には、ばねによって予荷重を加えられかつヒンジアームと離脱可能に連結可能なレバーであって、家具ヒンジの閉鎖移動をばねによって促進するためのレバーが配置されている。家具ヒンジの閉鎖移動時に、ヒンジアームの球形付加部が、レバーの対応する収容部と連結可能であり、これによって家具ヒンジを、ばねの力によって閉鎖された終端位置に引込み可能である。これに対して、開放移動時には、ヒンジアームの球形付加部がレバーの収容部から離脱し、ひいてはさらなる開放移動のために解放されるまで、人が、手によってばねの力に抗した力を加える必要がある。
【発明の概要】
【発明が解決しようとする課題】
【０００５】
ゆえに、本発明の課題は、冒頭に述べた形式のアクチュエータにおいて、上記の欠点を回避した、コンパクトなアクチュエータを提供することである。
【課題を解決するための手段】
【０００６】
この課題は、本発明によれば、請求項１に記載の特徴によって解決される。本発明の別の好適な構成は、従属請求項に記載されている。
【０００７】
本発明によれば、アクチュエータは連結装置を有しており、連結装置は、作動アームの開放時にばね装置を、閉鎖領域において作動アームから連結解除し、かつ作動アームの閉鎖時にばね装置を、閉鎖領域において作動アームと連結することが提案される。
【０００８】
このように構成されていると、アクチュエータが有する連結装置は、ばね装置を家具部分の閉鎖時に作動アームと連結し、その結果、ばね装置によって閉鎖力を可動の家具部分に加え、かつ可動の家具部分は、自体公知のように、閉鎖移動の終了近くで閉鎖位置に引き込まれる。これに対して、閉鎖位置を起点とした可動の家具部分の開放時には、ばね装置は作動アームから連結解除され、その結果、可動の家具部分の開放時に、ばね装置によって加えられる閉鎖保持力を克服する必要がなく、人は可動の家具部分をスムーズに開放することができる。次いで行われる開放移動時に（つまり閉鎖領域を通過した後で）、ばね装置は連結装置を介して再び作動アームと連結可能であり、その結果、次いで行われるこの開放移動がばね装置の力によって促進される。
【０００９】
連結装置は、少なくとも１つの可動に支持されたロックエレメントを有することができ、ロックエレメントは、ロック位置とロック解除位置との間で可動に支持されている。このとき、ロックエレメントは、ロック位置においてばね装置を作動アームと連結させ、かつ、ロックエレメントは、可動の家具部分の閉鎖位置を起点とする可動の家具部分の超過押圧によって、閉鎖位置の後ろに位置している超過押圧位置でロック解除位置に可動であり、これによって作動アームは、ばね装置の力から連結解除可能である。
【００１０】
ばね装置からの作動アームの連結解除は、開放過程中に行われ、このとき作動アームは、まだ強制的に開放位置の方向に移動させられる必要がなく、このことは、例えば可動の家具部分の上に述べた超過押圧時において言えることである。もちろん、上で述べた連結解除を、開放位置の方向において作動アームに加えられる力作用によって引き起こすことも可能であり、このようになっていると、作動アームとばね装置との間における連結を、閉鎖位置にある可動の家具部分に対する、手による短い引張り運動によって、解除可能である。
【００１１】
本発明のその他の詳細および利点については、以下の図面を参照した記載によって説明する。
【図面の簡単な説明】
【００１２】
【図１】図１ａは、少なくとも１つのアクチュエータを介して家具本体に対して相対的に可動に支持されている可動の家具部分を備えた家具を示す斜視図であり、図１ｂは、アクチュエータを示す側面図である。
【図２】図２ａは、アクチュエータを示す斜視図であり、図２ｂは、このアクチュエータを拡大して示す詳細図である。
【図３】図３ａは、エジェクション装置によって開放位置に移動させられた作動アームを備えたアクチュエータを示す斜視図であり、図３ｂは、このアクチュエータを拡大して示す詳細図である。
【図４】図４ａは、さらなる開放位置にある作動アームを備えたアクチュエータを示す斜視図であり、図４ｂは、このアクチュエータを拡大して示す詳細図である。
【図５】図５ａは、それに続くさらなる開放位置にある作動アームを備えたアクチュエータを示す斜視図であり、図５ｂは、このアクチュエータを拡大して示す詳細図である。
【図６】図６ａは、さらなる開放位置にある作動アームを備えたアクチュエータを示す斜視図であり、図６ｂは、このアクチュエータを拡大して示す詳細図である。
【図７】アクチュエータを分解して示す斜視図である。
【図８】作動アームの開放角度に関するトルク変化を示す線図である。
【発明を実施するための形態】
【００１３】
図１ａには、可動の家具部分３を備えた家具１が示されており、可動の家具部分３は、少なくともアクチュエータ４を介して、家具本体２に対して相対的に可動に支持されている。図示の実施形態では、可動の家具部分３はフラップとして形成されており、このフラップは、アクチュエータ４によって、水平に延びる旋回軸線を中心にして家具本体２に対して相対的に、上方に向かって開放することができる。アクチュエータ４は、ハウジング５を有しており、このハウジング５には、作動アーム６が回転軸９（図１ｂ）を中心にして旋回可能に支持されている。さらにエジェクション装置７が設けられており、このエジェクション装置７によって可動の家具部分３は、閉鎖位置を起点として開放位置に押出し可能である。そのために、エジェクション装置７は、可動に支持されたエジェクションエレメント８を有しており、このエジェクションエレメント８は、蓄力器によってかつ／または電動機によって駆動可能である。エジェクションエレメント８は、可動の家具部分３の背側へのレリーズアクションの実施後に、可動の家具部分３を開放位置に押し出す。エジェクション装置７は、アクチュエータ４のハウジング５内にまたはハウジング５に接して配置されているか、または代替的に、ハウジング５とは別体の構成ユニットとして形成されている。
【００１４】
図１ｂには、アクチュエータ４が側面図で示されている。作動アーム６は、ハウジング５に対して相対的に位置固定の回転軸９を中心にして旋回可能に支持されており、図示の図面では閉鎖位置にあるので、作動アーム６はエジェクション装置７のエジェクションエレメント８にルーズに接触している。作動アーム６に力を加えるために、ばね装置１１が設けられており、このばね装置１１は、位置固定のヒンジ軸１６に支持されている。ばね装置１１は、少なくとも１つのコイルばね（好ましくは少なくとも１つの圧縮ばね）またはガス圧ばねをも有することができる。作動アーム６は、ばね装置１１によって、閉鎖位置の直前に位置する閉鎖領域（例えば約３０°の最後の閉鎖領域）内で閉鎖位置に引込み可能であり、開放位置の方向における作動アーム６の開放移動時には、ばね装置１１は作動アーム６に開放力を加える。
【００１５】
ばね装置１１が、作動アーム６の、閉鎖位置を起点とする開放移動を妨げないようにするために、連結装置１０が設けられており、この連結装置１０は、作動アーム６の開放時にばね装置１１を作動アーム６から閉鎖領域３１（図８）において連結解除する。これに対して、作動アーム６の閉鎖時には、ばね装置１１は連結装置１０によって作動アーム６と連結され、その結果、作動アーム６（ひいては可動の家具部分３）は、閉鎖領域３１においてばね装置１１の力によって、自体公知のように、引き込まれる。連結装置１０は連結レバー１２を有しており、この連結レバー１２は、図示の実施形態では、２つのレバー端部１２ａ，１２ｂを備えた２腕レバーとして形成されていて、かつハウジング５に対して相対的に位置固定のヒンジ軸１３を中心にして旋回可能に支持されている。代替的に、スラストレバーまたはアングルレバーも使用可能である。連結レバー１２の第１のレバー端部１２ａは、ばね装置１１によって押圧されるロックエレメント１４（好ましくはローラ）と離脱可能にロック可能である。好ましくは、ロックエレメント１４は、ヒンジ軸２５を中心にして回転可能に支持されたローラとして形成されている。図示のロック位置では、第１のレバー端部１２ａはロックエレメント１４と共働する。閉鎖位置では、作動アーム６は、第２のレバー端部１２ｂに配置されたゴムパッド２１に接触している。閉鎖位置の後ろに位置する超過押圧位置２４への、可動の家具部分３の閉鎖位置を起点とした可動の家具部分３の超過押圧によって、ロックエレメント１４はロック解除位置に可動であり、これによって、作動アーム６はばね装置１１の力から連結解除可能である。蓄力器１５（好ましくは引張りばね）によって、ロックエレメント１４は、予め設定された力でロック位置に保持されている。アクチュエータ４は、さらに旋回部分１７を有しており、この旋回部分１７は、位置固定のヒンジ軸１３を介して連結レバー１２に旋回可能に結合されている。旋回部分１７に力を加えるために、引張りレバー２７が設けられており、この引張りレバー２７は、移動するヒンジ軸２６を介して旋回部分１７に旋回可能に結合されており、かつ引張りレバー２７によって、ばね装置１１の力が、ヒンジ軸２５からヒンジ軸２６に伝達可能である。引張りレバー２７は、ばね装置１１の力によって、移動可能なヒンジ軸２６に引張り運動を加え、これによって、旋回部分１７は、ヒンジ軸１３を中心にして、時計回り方向に作用する力で予荷重を加えられている。旋回部分１７は、ヒンジ軸１９を介してレバー１８に結合されており、このレバー１８は、さらに別のヒンジ軸２０を介して作動アーム６に枢着結合されている。可動の家具部分３の閉鎖位置では、図１ｂに示されたレバー位置によって、軽い閉鎖引張り力が作動アーム６に加えられる。
【００１６】
図２ａには、家具本体２に取り付けられたアクチュエータ４が斜視図で示されている。作動アーム６は、位置固定の回転軸９を中心にして旋回可能に支持されており、かつ図示の閉鎖位置では、第２のレバー端部１２ｂのゴムパッド２１およびエジェクション装置７のエジェクションエレメント８（図１ａ，図１ｂ）に接触している。図示の図面では、可動に支持されたロックエレメント１４のロック位置が示されており、このロック位置においてロックエレメント１４は、二腕の連結レバー１２の第１のレバー端部１２ａと離脱可能にロックされている。引張りばねとして形成された蓄力器１５によって、ロックエレメント１４はロック位置に保持されており、このとき蓄力器１５は、旋回部分１７と連結レバー１２の第１のレバー端部１２ａとの間で有効である。旋回部分１７は、位置固定のヒンジ軸１３を介して連結レバー１２に旋回可能に結合されている。
【００１７】
図２ｂには、図２ａに示されたアクチュエータ４が拡大されて詳細に示されている。連結レバー１２の第１のレバー端部１２ａは、ロックエレメント１４を離脱可能にロックするための係止凹部２２を有している。ヒンジ軸１３を中心にして旋回可能な旋回部分１７は、ガイド２３を有しており、このガイド２３によって、ロックエレメント１４は、ロック位置とロック解除位置との間で、制限された範囲内で可動に支持されている。可動の家具部分３の閉鎖位置を起点として、可動の家具部分３を、閉鎖位置の後ろに位置している超過押圧位置２４（図１ｂ）に手動で押圧することによって、ロックエレメント１４はロック位置からロック解除位置に移動することができ、その結果、作動アーム６は、閉鎖領域３１において、ばね装置１１の力から連結解除可能である。
【００１８】
図３ａには、可動の家具部分３が手動押圧作用によって超過押圧位置２４に移動された後におけるアクチュエータ４が斜視図で示されている。この押圧作用によって、連結レバー１２の第２のレバー端部１２ｂを作動アーム６によって押圧することができ、その結果、連結レバー１２は、時計回り方向でヒンジ軸１３を中心にして回転する。これによって、ロックエレメント１４と第１のレバー端部１２ａとの間におけるロックが解除され、その結果、ばね装置１１は弛緩し、ロックエレメント１４は、第１のレバー端部１２ａを起点として連結レバー１２のヒンジ軸１３の方向でロック解除位置に移動させられる。図示の図面において、ばね装置１１のヒンジ軸１６、ロックエレメント１４のヒンジ軸２５および連結レバー１２のヒンジ軸１３は、１つの共通の仮想ライン上に位置しているので、ばね装置１１からは、閉鎖領域３１における可動の家具部分３の開放時に、作動アーム６に対してトルクは加えられない。つまり、可動の家具部分３の開放のために、ばね装置１１の閉鎖保持力を克服する必要がないので、エジェクション装置７のエジェクションエレメント８は、可動の家具部分３を問題なく、閉鎖された終端位置から押し出すことができる。したがって、エジェクション装置７は、僅かな出力を有するように寸法設定することができ、そのためには、出力の大きな蓄力器または電動機は不要である。可動の家具部分３は、エジェクション装置７によって開放位置へと押し出すことができ、かつ手で後ろから係合することによって、さらに開放位置の方向に移動させることができる。
【００１９】
図４ａには、さらに開放方向に移動させられた作動アーム６を備えたアクチュエータ４が示されている。ヒンジ軸１９、ヒンジ軸２０および作動アーム６の回転軸９が、１つの共通の仮想ライン上に位置すると、ばね装置１１の力は開放機能へと変化する。作動アーム６には、この旋回位置から、開放方向に作用するトルクが加えられ、これによって可動の家具部分３のさらなる開放が、ばね装置１１の力によって促進される。図４ｂには、図４ａに示されたアクチュエータ４が拡大されて詳細に示されている。
【００２０】
図５ａには、作動アーム６のさらなる開放位置が示されている。ヒンジ軸１９、ヒンジ軸２０および作動アーム６の回転軸９が、１つの共通の仮想ライン上に位置している、図４ａおよび図４ｂに示された作動アーム６の旋回位置の到達後に、旋回部分１７は、作動アーム６のさらに続く開放移動によって、ヒンジ軸１３を中心にして時計回り方向に旋回される。ロックエレメント１４は、作動アーム６のこのさらに続く開放移動時に、弛緩するばね装置１１の力によって、連結レバー１２のヒンジ軸１３を起点として、再び自由なレバー端部１２ａの方向に押圧され、そこで連結レバー１２の係止凹部２２と係止される。つまり、ばね装置１１は、再び作動アーム６と連結され、さらなる開放移動時に、作動アーム６にはばね装置１１によって、開放方向に作用するトルクが加えられ、その結果、さらなる開放移動が、重量調整を目的としてばねによって促進されて実行される。図５ｂには、図５ａに示されたアクチュエータ４が拡大されて詳細に示されている。
【００２１】
図６には、作動アーム６を備えたアクチュエータ４が、さらに開放された旋回位置で示されている。ばね装置１１は、ヒンジ軸２５を介して引張りレバー２７に作用し、この引張りレバー２７は、引張り運動をヒンジ軸２６に加える。このようにして旋回部分１７は、位置固定のヒンジ軸１３を中心にして時計回り方向に旋回される。作動アーム６が、図６ａに示された位置を起点として再び閉鎖される場合、ばね装置１１は作動アーム６と共に連結装置１０によって（連結レバー１２の第１のレバー端部１２ａによるロックエレメント１４のロックされた位置）、完全な閉鎖位置に達するまで連結されたままであり、つまり約３０°の家具部分３の開放角度から完全な閉鎖位置に達するまで、閉鎖引張り力が作動アーム６に加えられる。
【００２２】
図６ｂには、図６ａに示されたアクチュエータ４が拡大されて詳細に示されている。認識することができる、連結レバー１２に形成された輪郭２８に沿って、ばね装置１１によって押圧されたロックエレメント１４は、ロック位置とロック解除位置との間で移動可能または転動可能である。輪郭２８の長さは、ほぼ連結レバー１２の第１のレバー端部１２ａから連結レバー１２のヒンジ軸１３にまで延びている。旋回部分１７は、ガイド２３を備えており、このガイド２３に沿って引張りレバー２７、ロックエレメント１４およびばね装置は、２つの終端位置の間で旋回可能である。
【００２３】
図７には、アクチュエータ４が分解図で示されている。エジェクション装置７は、ロック可能な蓄力器を備えたタッチラッチ機能を有することでき、蓄力器は、移動可能に支持されたエジェクションエレメント８の超過押圧によってロック解除可能である。閉鎖位置の直前に配置された開放角度領域における、作動アーム６の開放移動時におけるばね力の連結解除に基づいて、小さな押出し力を有するエジェクション装置７を使用することができる。ばね装置１１の外側への屈曲を阻止するために、ばね収容部２９が設けられており、このばね収容部２９は、圧縮ばねとして形成されたばね装置１１の円筒形の中空室内に挿入可能である。
【００２４】
図８には、作動アーム６の開放角度（角度、α）に関連したトルク変化（ニュートンメートルＮｍにおけるトルクＭ）が線図で示されている。破線で示された曲線３０は、従来技術によるトルク変化を示している。作動アーム６には、閉鎖位置において閉鎖保持力（−２.４Ｎｍ）が加えられており、これによって可動の家具部分３もまた、閉鎖された終端位置において予め設定された保持力によってその位置に保持されている。従来技術では、人は閉鎖領域３１にわたって、死点位置Ｔに到るまで作動アーム６に対して手で引張り運動を加える必要があり、その後で、さらなる開放移動がばね装置１１によって促進される。これとは異なり、本発明によれば、可動の家具部分３は、その閉鎖位置を起点として、閉鎖位置の後ろに位置している超過押圧位置においてロック解除位置へと移動され、これによって作動アーム６は、ばね装置１１の力から連結解除可能である。可動の家具部分３の超過押圧時におけるトルクは、位置Ａ，Ｂに沿って変化し、この変化の後で、ばね装置１１は、死点位置Ｔの通過後にトルクを開放方向において作動アーム６に加え、これによってさらなる開放移動（位置Ｃ，Ｄ）を促進する。これに対して、閉鎖位置にある家具部分３に対して、短い引張り運動、ひいては作動アーム６からのばね装置１１の連結解除が実施されると、トルクは、位置Ａ’，Ｂに沿って変化し、その後でばね装置１１によって、死点位置Ｔの通過後に、開放方向におけるトルクが作動アーム６に加えられる。可動の家具部分３に対する引張り運動時に、作動アーム６の連結解除は、閉鎖領域３１内における開放時に行われる。これに対して、作動アーム６の連結は、閉鎖方向で見て、閉鎖領域３１の始めに行われる。線図から認識できるように、開放時における連結解除が行われる旋回角度α２，α３は、閉鎖時における連結が行われる旋回角度α１よりも小さい。このとき、作動アーム６の死点位置Ｔは、作動アーム６の閉鎖位置を起点として、１０°〜４０°の間に位置しているようになっていてよい。可動の家具部分３に対する引張り運動時における連結解除が行われる、作動アーム６の旋回角度α２は、１°〜５°の間であってよい。可動の家具部分３の閉鎖位置を起点とする可動の家具部分３の超過押圧時に、閉鎖位置の後ろに位置している超過押圧位置において、連結解除が行われる、作動アーム６の旋回角度α３は、−１°〜−５°の間であってよい。
【符号の説明】
【００２５】
１  家具
２  家具本体
３  可動の家具部分
４  アクチュエータ
５  アクチュエータのハウジング
６  作動アーム
７  エジェクション装置
８  エジェクションエレメント
９  作動アームの回転軸
１０  連結装置
１１  ばね装置
１２  連結レバー
１３  連結レバーのヒンジ軸
１４  ロックエレメント
１５  蓄力器
１６  ばね装置のヒンジ軸
１７  旋回部分
１８  レバー
１９  ヒンジ軸
２０  ヒンジ軸
２１  ゴムパッド
２２  係止凹部
２３  ガイド
２４  超過押圧位置
２５  ヒンジ軸
２６  ヒンジ軸
２７  引張りレバー
２８  連結レバーの輪郭
２９  ばね収容部
３０  従来技術におけるトルク変化
３１  閉鎖領域
【図１ａ】
0006646139.tif 000002
【図１ｂ】
0006646139.tif 000003
【図２ａ】
0006646139.tif 000004
【図２ｂ】
0006646139.tif 000005
【図３ａ】
0006646139.tif 000006
【図３ｂ】
0006646139.tif 000007
【図４ａ】
0006646139.tif 000008
【図４ｂ】
0006646139.tif 000009
【図５ａ】
0006646139.tif 000010
【図５ｂ】
0006646139.tif 000011
【図６ａ】
0006646139.tif 000012
【図６ｂ】
0006646139.tif 000013
【図７】
0006646139.tif 000014
【図８】
0006646139.tif 000015